(57)【特許請求の範囲】
【請求項１】
原稿を、原稿配置位置から予め定められた第１読取位置および第２読取位置に搬送する搬送経路を有する搬送機構と、
光源及び受光部を有し、前記第１読取位置で原稿の画像を読み取る第１画像読取部と、
前記第１画像読取部に対し前記搬送経路を挟んで対向配置され、光源及び受光部を有し、前記第２読取位置で原稿の画像を読み取る第２画像読取部と、
前記第２画像読取部側に設けられ前記第１画像読取部の光源からの光が照射される第１基準部材と、
前記第１画像読取部側に設けられ前記第２画像読取部の光源からの光が照射される第２基準部材と、
制御部と、
を備え、
前記制御部は、
原稿読取時に前記光源からの光を前記読取位置上の原稿に照射し、当該原稿からの反射光を前記受光部で受光する画像読取動作処理と、
シェーディング補正時に前記光源からの光を前記基準部材に照射し、当該基準部材からの反射光を前記受光部で受光する基準読取動作を前記画像読取部に実行させる読取制御処理と、
前記基準読取動作における前記受光部の受光結果に基づきシェーディング補正データを生成するデータ生成処理と、
を実行し、
前記第１原稿読取部の第１読取位置と前記第１基準部材とは、前記第１画像読取部からの距離が互いに異なり、且つ、前記第１画像読取部からの距離に応じて前記受光部が受光する光の光量を示す前記第１画像読取部の光量特性曲線において互いに光量が等しい位置にそれぞれ配置され、
前記第２原稿読取部の第２読取位置と前記第２基準部材とは、前記第２画像読取部からの距離が互いに異なり、且つ、前記第２画像読取部からの距離に応じて前記受光部が受光する光の光量を示す前記第２画像読取部の光量特性曲線において互いに光量が等しい位置にそれぞれ配置され、
前記第１画像読取部と前記第２画像読取部とは、前記光量特性曲線が異なり、
前記第１画像読取部から前記第１読取位置までの距離と、前記第２画像読取部から前記第２読取位置までの距離とは等しく、
前記第１画像読取部から前記第１基準部材までの距離と、前記第２画像読取部から前記第２基準部材までの距離とは異なる、画像読取装置。
【請求項２】
原稿を、原稿配置位置から予め定められた第１読取位置および第２読取位置に搬送する搬送経路を有する搬送機構と、
光源及び受光部を有し、前記第１読取位置で原稿の画像を読み取る第１画像読取部と、
前記第１画像読取部に対し前記搬送経路を挟んで対向配置され、光源及び受光部を有し、前記第２読取位置で原稿の画像を読み取る第２画像読取部と、
前記第２画像読取部側に設けられ前記第１画像読取部の光源からの光が照射される第１基準部材と、
前記第１画像読取部側に設けられ前記第２画像読取部の光源からの光が照射される第２基準部材と、
制御部と、
を備え、
前記制御部は、
原稿読取時に前記光源からの光を前記読取位置上の原稿に照射し、当該原稿からの反射光を前記受光部で受光する画像読取動作処理と、
シェーディング補正時に前記光源からの光を前記基準部材に照射し、当該基準部材からの反射光を前記受光部で受光する基準読取動作を前記画像読取部に実行させる読取制御処理と、
前記基準読取動作における前記受光部の受光結果に基づきシェーディング補正データを生成するデータ生成処理と、
を実行し、
前記第１原稿読取部の第１読取位置と前記第１基準部材とは、前記第１画像読取部からの距離が互いに異なり、且つ、前記第１画像読取部からの距離に応じて前記受光部が受光する光の光量を示す前記第１画像読取部の光量特性曲線において互いに光量が等しい位置にそれぞれ配置され、
前記第２原稿読取部の第２読取位置と前記第２基準部材とは、前記第２画像読取部からの距離が互いに異なり、且つ、前記第２画像読取部からの距離に応じて前記受光部が受光する光の光量を示す前記第２画像読取部の光量特性曲線において互いに光量が等しい位置にそれぞれ配置され、
前記第１画像読取部と前記第２画像読取部とは、前記光量特性曲線が異なり、
前記第１画像読取部から前記第１読取位置までの距離と、前記第２画像読取部から前記第２読取位置までの距離とは異なり、
前記第１画像読取部から前記第１基準部材までの距離と、前記第２画像読取部から前記第２基準部材までの距離とは等しい、画像読取装置。
【請求項３】
請求項１または請求項２に記載の画像読取装置であって、
前記読取制御部は、
前記データ生成処理で生成された前記シェーディング補正データに基づき、前記画像読取動作で読み取られた画像データを補正するデータ補正処理を、
実行する画像読取装置。
【発明の詳細な説明】
【技術分野】
【０００１】
本発明は、シェーディング補正時における画像読取部から基準部材までの距離と、画像読取時における画像読取部から読取位置までの距離とが相違する画像読取装置に関する。
【背景技術】
【０００２】
画像読取装置では、例えば画像読取部の特性等に起因して、読取画像に濃度差が生じることがあり、この濃度差を軽減するために、いわゆるシェーディング補正が実行される。具体的には、画像読取装置には、シェーディング補正用の基準部材が設けられ、シェーディング補正時には、画像読取部に、基準部材に光が照射し、その反射光を受光する読取動作を実行させることによりシェーディング補正データが生成され、読み取られた画像データがシェーディング補正データにより補正される。
【０００３】
ところで、画像読取装置では、シェーディング補正時における画像読取部から基準部材までの距離と、画像読取時における画像読取部から読取位置までの距離とが相違することがある。そうすると、読取位置と基準部材とで、画像読取部が受光する光の光量が相違するため、基準部材を利用して生成されたシェーディング補正データでは、原稿から読み取った画像データを正確に補正することができないおそれがある。
【０００４】
そこで、従来から、シェーディング補正時における画像読取部から基準部材までの距離と、画像読取時における画像読取部から読取位置までの距離とを一致させる画像読取装置がある（特許文献１参照）。具体的には、この画像読取装置では、シェーディング補正時には基準部材を読取位置に装着し、原稿の画像読取時には基準部材を読取位置から取り外したり、シェーディング補正時には基準部材を読取位置に移動させ、原稿の画像読取時には基準部材を読取位置から退避させたりする。
【先行技術文献】
【特許文献】
【０００５】
【特許文献１】特開２００７−１２４１１０号公報
【発明の概要】
【発明が解決しようとする課題】
【０００６】
しかしながら、上記従来の画像読取装置では、基準部材の取り外しや、基準部材の移動機構が必要になるという問題がある。
【０００７】
本明細書では、基準部材の取り外しや移動機構を要することなく、シェーディング補正時における画像読取部から基準部材までの距離と、画像読取時における画像読取部から読取位置までの距離との差による影響を抑制したシェーディング補正データを生成することが可能な技術を開示する。
【課題を解決するための手段】
【０００８】
本明細書によって開示される画像読取装置は、光源及び受光部を有し、予め定められた読取位置で原稿の画像を読み取る画像読取部と、基準部材と、制御部と、を備え、前記制御部は、原稿読取時に前記光源からの光を前記読取位置上の原稿に照射し、当該原稿からの反射光を前記受光部で受光する画像読取動作処理と、シェーディング補正時に前記光源からの光を前記基準部材に照射し、当該基準部材からの反射光を前記受光部で受光する基準読取動作を前記画像読取部に実行させる読取制御処理と、前記基準読取動作における前記受光部の受光結果に基づきシェーディング補正データを生成するデータ生成処理と、を実行し、前記読取位置と前記基準部材とは、前記画像読取部からの距離が互いに異なり、且つ、前記画像読取部からの距離に応じて前記受光部が受光する光の光量を示す前記画像読取部の光量特性曲線において、互いに光量が等しい位置にそれぞれ配置されている。
【０００９】
上記画像読取装置では、原稿を、原稿配置位置から前記読取位置に搬送する搬送経路を有する搬送機構と、前記画像読取部として、前記搬送経路を挟んで対向配置される第１画像読取部及び第２画像読取部と、前記基準部材として、前記第２画像読取部側に設けられ前記第１画像読取部の光源からの光が照射される第１基準部材、及び、前記第１画像読取部側に設けられ前記第２画像読取部の光源からの光が照射される第２基準部材と、を備え、前記第１原稿読取部の第１読取位置と前記第１基準部材とは、前記第１画像読取部の前記光量特性曲線において互いに光量が等しい位置にそれぞれ配置され、前記第２原稿読取部の第２読取位置と前記第２基準部材とは、前記第２画像読取部の前記光量特性曲線において互いに光量が等しい位置にそれぞれ配置されていてもよい。
【００１０】
上記画像読取装置では、請求項２に記載の画像読取装置であって、前記第１画像読取部と前記第２画像読取部とは、前記光量特性曲線が同じであり、前記第１画像読取部から前記第１読取位置までの距離と、前記第２画像読取部から前記第２読取位置までの距離とは等しく、前記第１画像読取部から前記第１基準部材までの距離と、前記第２画像読取部から前記第２基準部材までの距離とは等しくてもよい。
【００１１】
上記画像読取装置では、前記第１画像読取部と前記第２画像読取部とは、前記光量特性曲線が異なり、前記第１画像読取部から前記第１読取位置までの距離と、前記第２画像読取部から前記第２読取位置までの距離とは等しく、前記第１画像読取部から前記第１基準部材までの距離と、前記第２画像読取部から前記第２基準部材までの距離とは異なってもよい。
【００１２】
上記画像読取装置では、前記第１画像読取部と前記第２画像読取部とは、前記光量特性曲線が異なり、前記第１画像読取部から前記第１読取位置までの距離と、前記第２画像読取部から前記第２読取位置までの距離とは異なり、前記第１画像読取部から前記第１基準部材までの距離と、前記第２画像読取部から前記第２基準部材までの距離とは等しくてもよい。
【００１３】
上記画像読取装置では、前記読取制御部は、前記データ生成処理で生成された前記シェーディング補正データに基づき、前記画像読取動作で読み取られた画像データを補正するデータ補正処理を、実行してもよい。
【００１４】
なお、この発明は、制御装置、制御方法、印刷装置、印刷方法、これらの方法または装置の機能を実現するためのコンピュータプログラム、そのコンピュータプログラムを記録した記録媒体等の種々の態様で実現することができる。
【発明の効果】
【００１５】
本発明によれば、基準部材の取り外しや移動機構を要することなく、シェーディング補正時における画像読取部から基準部材までの距離と、画像読取時における画像読取部から読取位置までの距離との差による影響を抑制したシェーディング補正データを生成することが可能である。
【図面の簡単な説明】
【００１６】
【図１】実施形態１の画像読取装置の外観を示す斜視図
【図２】画像読取装置の概略的な内部構成図
【図３】画像読取部の概略的な構成図（原稿無し）
【図４】画像読取装置の電気的構成を概略的に示すブロック図
【図５】画像読取に関する制御処理を示すフローチャート
【図６】読取デバイスの光量特性曲線を示すグラフ
【図７】画像読取部の概略的な構成図（原稿有り）
【図８】実施形態２の読取デバイスの光量特性曲線を示すグラフ
【図９】画像読取部の概略的な構成図（原稿有り）
【図１０】実施形態３の読取デバイスの光量特性曲線を示すグラフ
【図１１】画像読取部の概略的な構成図（原稿有り）
【発明を実施するための形態】
【００１７】
＜実施形態１＞
本明細書が開示する発明の実施形態１を図１から図７を参照しつつ説明する。以下の説明では、図１から３、７中の符号Ｘが付された方向が画像読取装置１の前方向であり、符号Ｙが付された方向が右方向であり、符号Ｚが付された方向が上方向であるものとして説明する。
【００１８】
１．画像読取装置の機械的構成
図１は画像読取装置１の外観を示す斜視図であり、図２は画像読取装置１の概略的な内部構成図である。画像読取装置１は、原稿トレイ２と、本体部３と、排出トレイ４と、を含む。この画像読取装置１は、原稿トレイ２に載置された原稿Ｍ（図２参照）を本体部３内に搬送しつつ、その搬送中の原稿Ｍ上の画像を、本体部３内に設けられた画像読取部２４（図２参照）により読み取り、その画像が読み取られた原稿Ｍを排出トレイ４に排出するシートフィードスキャナである。なお、原稿Ｍは、紙製に限らずプラスチック製などでもよい。
【００１９】
原稿トレイ２は、前側が下方に傾斜した状態で、本体部３の後側に設けられている。原稿トレイ２の左右の両端部には、ガイド７Ａ、７Ｂが左右方向に移動可能に設けられている。ガイド７Ａ、７Ｂは、例えばユーザにより押し広げられ、又は押し狭められることにより、ガイド７Ａ、７Ｂの間の距離が原稿の左右方向の幅と等しくなるよう調整可能であり、それらのガイド７Ａ、７Ｂの間に１または複数の原稿Ｍが配置される。
【００２０】
図２に示すように、本体部３の内部には、原稿トレイ２の前端から排出トレイ４の後端まで延びる搬送経路２２が設けられており、この搬送経路２２の周辺に、ピックアップローラ２０と、分離パッド２１と、フィードローラ２３と、画像読取部２４と、排出ローラ２５と、フロントセンサ２６、リヤセンサ２７とが設けられている。
【００２１】
ピックアップローラ２０は、原稿トレイ２の前側に配置され、摩擦力により、原稿トレイ２に載置された１または複数枚の原稿Ｍを本体部３の内部へと引き込む。分離パッド２１は、ピックアップローラ２０に対向するように配置され、摩擦力により、複数枚の原稿Ｍを１枚ずつ分離する。これにより、原稿Ｍが１枚ずつ本体部３の内部へと搬送される。
【００２２】
フィードローラ２３は、ピックアップローラ２０等よりも搬送経路２２の下流側に設けられ、図示しないモータにより駆動され、搬送経路２２上に存在する原稿Ｍを前方へと搬送する。画像読取部２４は、フィードローラ２３よりも搬送経路２２の下流側に設けられ、そのフィードローラ２３による搬送中の原稿Ｍの画像を読み取る。
【００２３】
排出ローラ２５は、画像読取部２４よりも搬送経路２２の下流側に設けられ、画像読取部２４にて画像読取処理がされた原稿Ｍを、本体部３の外部に送り出す。排出トレイ４は本体部３の前側に設けられ、その排出トレイ４に、本体部３の外部に送り出された原稿Ｍが積層される。なお、搬送経路２２、ピックアップローラ２０、フィードローラ２３、排出ローラ２５が搬送機構２８を構成する。
【００２４】
フロントセンサ２６は、原稿トレイ２の前端側に設けられ、原稿トレイ２上に配置されている原稿Ｍの有無を検知し、その検知結果に応じた検知信号ＳＧ１を出力する。なお、原稿トレイ２の前端が原稿配置位置の一例である。リヤセンサ２７は、搬送経路２２途中に存在する原稿Ｍの有無を検知し、その検知結果に応じた検知信号ＳＧ２を出力する。なお、フロントセンサ２６、リヤセンサ２７は、例えば、圧力センサなどの接触式センサでも、光学センサや磁気センサなどの非接触式センサでもよい。
【００２５】
図３は画像読取部２４の概略的な構成図である。画像読取部２４は、搬送経路２２を挟んで対向配置された一対の読取デバイス３０、４０を含んで構成されている。一対の読取デバイス３０，４０は、搬送経路２２の搬送方向においてお互いに相対移動不能に設けられている。なお、読取デバイス３０，４０は、第１画像読取部及び第２画像読取部の一例であり、ＣＩＳ（Ｃｏｎｔａｃｔ  Ｉｍａｇｅ  Ｓｅｎｓｏｒ）や、ＣＣＤ（Ｃｈａｒｇｅ  Ｃｏｕｐｌｅｄ  Ｄｒｉｖｅ  Ｉｍａｇｅ  Ｓｅｎｓｏｒ）であることが好ましい。
【００２６】
読取デバイス３０は、搬送経路２２の上側に配置されており、搬送中の原稿Ｍの一面、換言すれば上面の画像を読み取る。具体的には、読取デバイス３０は、光源３１、受光部３２、基準部材３３、プラテンガラス３４がキャリッジ３５に搭載された構成とされている。光源３１は、発光ダイオードなどの発光素子を備えて構成されている。光源３１は、発光素子以外に、投光レンズなどの光学系を備える構成でもよい。受光部３２は、図示しない複数の受光素子が左右方向に配列されて構成されている。プラテンガラス３４は、搬送経路２２に沿って配置されている。光源３１は、プラテンガラス３４を介して搬送経路２２内を搬送される原稿Ｍ、または、読取デバイス４０の基準部材４３に光Ｌ１を照射し、受光部３２は、原稿Ｍまたは基準部材４３からの反射光Ｌ２を受光する。
【００２７】
読取デバイス４０は、搬送経路２２の下側に配置されており、搬送中の原稿Ｍの他面、換言すれば下面の画像を読み取る。具体的には、読取デバイス４０は、光源４１、受光部４２、基準部材４３、プラテンガラス４４がキャリッジ４５に搭載された構成とされている。光源４１及び受光部４２は、上記光源３１及び受光部４２と同様の構成である。プラテンガラス４４は、搬送経路２２に沿って配置されている。光源４１は、プラテンガラス４４を介して搬送経路２２内を搬送される原稿Ｍ、または、読取デバイス３０の基準部材３３に光Ｌ３を照射し、受光部４２は、原稿Ｍまたは基準部材３３からの反射光Ｌ４を受光する。
【００２８】
基準部材３３及び基準部材４３は、第１基準部材及び第２基準部材の一例であり、白色基準板に限らず灰色基準板などでもよく、また、図３に示すようにプラテンガラス３４，４４に埋設された構成以外に、プラテンガラス３４，４４の前面または背面に配置された構成でもよい。図３に示すように、読取デバイス３０は、読取デバイス４０が有する基準部材４３を用いてシェーディング補正等に必要な白基準データを取得し、読取デバイス４０は、読取デバイス３０が有する基準部材３３を用いてシェーディング補正等に必要な白基準データを取得する。
【００２９】
また、図１に示すように、本体部３には、この他に、電源スイッチや各種設定ボタンからなり、ユーザからの操作指令等を受け付ける操作部５や、液晶ディスプレイからなり、画像読取装置１の状況や画像読取部２４が原稿を読み取った画像を表示する表示部６を含む。
【００３０】
２．画像読取装置の電気的構成
図４は画像読取装置１の電気的構成を概略的に示すブロック図である。画像読取装置１は、画像読取装置１の各部を制御する制御回路１０を含む。制御回路１０は、中央処理装置（以下、ＣＰＵ）１１、ＲＯＭ１２、ＲＡＭ１３を備え、これらにバス１４を介して操作部５、表示部６、アナログフロントエンド（以下、ＡＦＥ）１５、点灯回路１６、搬送機構２８に含まれる各ローラを駆動する駆動回路１７、読取デバイス３０、４０、フロントセンサ２６、リヤセンサ２７などが接続されている。
【００３１】
ＲＯＭ１２には、画像読取装置１の動作を制御するための制御プログラムなど、各種のプログラムが記憶されており、ＣＰＵ１１は、ＲＯＭ１２から読み出した制御プログラムに従って各部の制御を行う。
【００３２】
点灯回路１６は、読取デバイス３０、４０に各々接続されており、ＣＰＵ１１からの命令に基づいて、光源３１、４１の点灯及び照射時間を制御する信号を読取デバイス３０、４０に送信する。読取デバイス３０、４０は、点灯回路１６から信号を受け取ると、光源３１、４１を点灯し、照射時間に亘って光源３１、４１を発光させる。その際、読取デバイス３０、４０は、ＣＰＵ１１からの命令に基づいて、搬送経路２２内を搬送される原稿Ｍ又は基準部材３３、４３から反射される反射光を受光部３２、４２にて受光し、受光部３２、４２が受光した受光量に応じたアナログ信号である読取電圧をＡＦＥ１５に出力する。読取デバイス３０、４０は、受光部３２、４２の各受光素子を用いて反射光を受光し、各受光素子が受光した受光量に応じた読取電圧を順次、ＡＦＥ１５に出力する。
【００３３】
ＡＦＥ１５は、読取デバイス３０、４０に各々接続されており、ＣＰＵ１１からの命令に基づいて、読取デバイス３０、４０から出力される読取電圧をデジタル信号である読取データに変換するＡ／Ｄ変換回路を有している。ＡＦＥ１５は、予め定められた分解能（例えば、８ビットであるならば０から２５５の階調）を有している。ＡＦＥ１５は、読取デバイス３０、４０から出力された読取電圧を８ビット（０〜２５５）の読取データにＡ／Ｄ変換を行う。そして、ＡＦＥ１５によってＡ／Ｄ変換された読取データは、バス１４を介してＲＡＭ１３に記憶される。
【００３４】
３．制御回路が実行する制御処理
図５は制御回路１０、換言すれば、ＣＰＵ１１が実行する、画像読取に関する制御処理を示すフローチャートである。
【００３５】
（１）光量調整処理
ＣＰＵ１１は、ユーザによる操作部５での操作や外部機器からの指示信号の受信に基づき、画像読取の開始指示を受け付けた後、上記制御プログラムに従って光量調整処理を実行する（Ｓ１）。光量調整処理では、ＣＰＵ１１は、各読取デバイス３０，４０の光源３１，４１を発光させ、基準部材３３，４３からの反射光を受光部３２、４２にて受光させる投受光動作を実行させ、受光部３２，４２からの受光信号に応じた読取データに基づき、光源３１，４１の発光量が所定の目標量になるように調整する。
【００３６】
（２）補正データ生成処理
また、ＣＰＵ１１は、光量調整処理の実行後、補正データ生成処理を実行する（Ｓ２）。補正データ生成処理では、ＣＰＵ１１は、光源３１，４１が発光していないときの受光信号に応じた読取データに基づき黒基準データを取得し、上記投受光動作時の受光信号に応じた読取データに基づき白基準データを取得する。そして、黒基準データ及び白基準データに基づきシェーディング補正時に用いる補正データを生成し、例えばＲＡＭ１３に記憶する。なお、以下、白基準データを取得するために読取デバイス３０，４０に実行させる投受光動作を、基準読取動作という。このときＣＰＵ１１はデータ生成部及び読取制御部として機能する。
【００３７】
（３）画像読取処理
ＣＰＵ１１は、補正データ生成処理の実行後、画像読取処理を実行する（Ｓ３）。ＣＰＵ１１は、まずフロントセンサ２６からの検出信号ＳＧ１に基づき原稿トレイ２上に原稿Ｍが有ると判断した場合、駆動回路１７を介して搬送機構２８の駆動を開始させる。これにより、原稿トレイ２上に配置された原稿Ｍが１枚、搬送経路２２に沿って搬送される。
【００３８】
次に、ＣＰＵ１１は、リヤセンサ２７からの検出信号ＳＧ２に基づきリヤセンサ２７にて原稿Ｍが検知された判断した場合、その検知タイミングをトリガーとして、読取デバイス３０，４０の光源３１，４１を発光させ、原稿Ｍからの反射光を受光部３２、４２にて受光させる投受光動作を実行させて原稿の画像読取を実行させる。以下、このときの投受光動作を、画像読取動作という。このときＣＰＵ１１は読取制御部として機能する。
【００３９】
（４）画像データ補正処理
ＣＰＵ１１は、画像データ補正処理を実行する（Ｓ４）。ＣＰＵ１１は、上記画像読取処理で読み取った画像データを上記補正データに基づき補正を施し、例えば画像読取装置１と通信可能に接続された図示しない端末装置や印刷装置に出力する。ＣＰＵ１１は、画像データ補正処理の実行後、本制御処理を終了する。このときＣＰＵ１１はデータ補正部として機能する。
【００４０】
４．画像読取部の構成要素の位置関係
図６は読取デバイス３０，４０の光源３１，４１の光量特性曲線を示すグラフであり、縦軸が光量を示し、縦軸の光量は、前記光源３１，４１からの光が前記プラテンガラス３４，４４の表面からの所定距離離れた箇所で、反射された際の受光部３２，４２が受光する光量を示している。横軸は、読取デバイス３０，４０のプラテンガラス３４，４４の表面からの距離を示す。なお、横軸は、受光部３２、４２からの距離を示すものでもよい。また、図７は画像読取部２４の概略的な構成図であり、同図では、読取デバイス３０と読取デバイス４０との間に原稿Ｍが介在している。
【００４１】
本実施形態では、読取デバイス３０，４０の光源３１，４１は、いずれも光量特性が略同一であり、その光量特性曲線は図６に示すグラフになる。具体的には、受光部３２、４２の光量は、プラテンガラス３４，４４表面と照射対象物の位置との距離が長くなるに連れて一旦増加し、その後、次第に減少する放物線を描く。この光量特性曲線は、実験結果や読取デバイス３０，４０の仕様書等から取得することができる。これは取得工程の一例である。従って、プラテンガラス３４，４４表面側には、その表面からの距離が互いに異なるが、光量が略等しい２つの位置が存在する。プラテンガラス３４，４４表面からの距離がＤ１、Ｄ２［ｍｍ］の位置では、光量はＶ１［ｌｘ］で略一致している。
【００４２】
そこで、本実施形態では、図７に示すように、プラテンガラス３４の表面から読取位置Ｘ１までの距離がＤ１になり、プラテンガラス３４の表面から基準部材４３までの距離をＤ２になるよう、読取デバイス３０の配置が調整されている。これらの位置関係は、読取デバイス３０と、その前後に位置するフィードローラ２３及び排出ローラ２５との位置関係を調整することにより定めることができる。これは配置工程の一例である。
【００４３】
なお、読取位置Ｘ１は、フィードローラ２３と排出ローラ２５とでニップされて張力が付与されている原稿Ｍの上面上であることが好ましい。換言すれば、プラテンガラス３４の表面から読取位置Ｘ１までの距離は、プラテンガラス３４の表面から、フィードローラ２３と排出ローラ２５とでニップされて張力が付与されている原稿Ｍまでの距離に等しいことが好ましい。また、読取位置Ｘ１及び基準部材４３の位置は、受光部３２の焦点深度の範囲内に設定されていることが好ましい。
【００４４】
一方、図７に示すように、プラテンガラス４４の表面から読取位置Ｘ２までの距離がＤ１になり、プラテンガラス４４の表面から基準部材３３までの距離をＤ２になるよう、読取デバイス４０の配置が調整されている。これらの位置関係は、読取デバイス４０と、その前後に位置するフィードローラ２３及び排出ローラ２５との位置関係を調整することにより定めることができる。
【００４５】
なお、読取位置Ｘ２は、フィードローラ２３と排出ローラ２５とでニップされて張力が付与されている原稿Ｍの下面上であることが好ましい。換言すれば、プラテンガラス４４の表面から読取位置Ｘ２までの距離は、プラテンガラス４４の表面から、フィードローラ２３と排出ローラ２５とでニップされて張力が付与されている原稿Ｍまでの距離に等しいことが好ましい。また、読取位置Ｘ２及び基準部材３３の位置は、受光部４２の焦点深度の範囲内に設定されていることが好ましい。また、図７では、原稿Ｍの厚みを考慮して、読取位置Ｘ１，Ｘ２が設定されているが、一般に、原稿Ｍは薄いため、厚みを無視して設定してもよい。
【００４６】
５．本実施形態の効果
本実施形態によれば、読取位置Ｘ１、Ｘ２と基準部材３３，４３とは、受光部３２，４２からの距離が互いに異なり、且つ、前記光源３１，４１からの光が前記プラテンガラス３４，４４の表面から所定距離離れた箇所で、反射された際の受光部３２，４２が受光する光量の特性曲線において互いに光量が略等しい位置にそれぞれ配置されている。これにより、基準部材の取り外しや移動機構を要することなく、シェーディング補正時（図３参照）における、プラテンガラス３４，４４から基準部材３３，４３までの距離と、画像読取時（図７参照）におけるプラテンガラス３４，４４から読取位置Ｘ１、Ｘ２までの距離との差による影響を抑制したシェーディング補正データを生成することができる。このため、基準部材の取り外しや移動機構を要する構成に比べて、画像読取装置１自体の筺体の小型化、コスト低減を図ることが可能である。
【００４７】
また、読取デバイス３０と読取デバイス４０とが搬送経路２２を挟んで対向配置されている。このような構成では、原稿Ｍを両読取デバイス３０，４０に対して適切な位置に搬送する必要があるため、特に、シェーディング補正時における光源３１，４１から基準部材３３，４３までの距離と、画像読取時における光源３１，４１から読取位置Ｘ１、Ｘ２までの距離との差が生じ易い。従って、本実施形態は特に有意義である。
【００４８】
また、読取デバイス３０と読取デバイス４０とは光量特性曲線が同じなので、読取デバイス３０及び基準部材３３と、読取デバイス４０及び基準部材４３とは搬送経路２２を挟んで対称に配置することができる（図７参照）。また、原稿Ｍが、搬送経路２２の幅方向における中央を搬送されるので、原稿Ｍが一方の読取デバイスに寄った位置を搬送される構成に比べて、原稿詰まりの発生を抑制することができる。
【００４９】
＜実施形態２＞
図８，９は実施形態２を示す。実施形態１との相違は、読取デバイス３０，４０の光量特性、および、読取デバイスと基準部材との位置関係にあり、その他の点は実施形態１と同様である。従って、実施形態１と同一符号を付して重複する説明を省略し、異なるところのみを次に説明する。
【００５０】
１．画像読取部の構成要素の位置関係
図８の上段のグラフは読取デバイス４０の光量特性曲線を示し、同図の下段のグラフは読取デバイス３０の光量特性曲線を示す。各グラフの縦軸が光量を示し、横軸が読取デバイス３０，４０のプラテンガラス３４，４４の表面からの距離を示す。なお、横軸は、光源３１，４１からの距離を示すものでもよい。また、図９は画像読取部２４の概略的な構成図であり、同図では、読取デバイス３０と読取デバイス４０との間に原稿Ｍが介在している。
【００５１】
本実施形態では、読取デバイス３０，４０の光源３１，４１は、光量特性が互いに異なり、それぞれの光量特性曲線は図８に示すグラフになる。同図では、読取デバイス３０の光量特性曲線は、読取デバイス４０の光量特性曲線に比べて緩やかな放物線になっている。このような光量特性の相違の一因は、発光素子や光学系の特性の相違や製造バラツキであることが想定される。
【００５２】
読取デバイス３０の光量特性曲線では、プラテンガラス３４表面からの距離がＤ３、Ｄ５［ｍｍ］の位置で、光量はＶ３［ｌｘ］で略一致している。そこで、図９に示すように、プラテンガラス３４の表面から読取位置Ｘ１までの距離がＤ３になり、プラテンガラス３４の表面から基準部材４３までの距離をＤ５になるよう、読取デバイス３０の配置が調整されている。
【００５３】
一方、読取デバイス４０の光量特性曲線では、プラテンガラス４４表面からの距離がＤ３、Ｄ４［ｍｍ］の位置で、光量はＶ２［ｌｘ］で略一致している。そこで、図９に示すように、プラテンガラス４４の表面から読取位置Ｘ２までの距離がＬ３になり、プラテンガラス４４の表面から基準部材３３までの距離をＤ４（＜Ｄ５）になるよう、読取デバイス４０の配置が調整されている。なお、読取デバイス４０の光量の値Ｖ２と、読取デバイス３０の光量の値Ｖ３とは略一致していることが好ましい。
【００５４】
また、プラテンガラス３４の表面から読取位置Ｘ１までの距離と、プラテンガラス４４の表面から読取位置Ｘ２までの距離とを略等しくするために、基準部材４３は、読取デバイス４０のキャリッジ４５内に配置されている。従って、基準読取動作時には、光源３１からの光は、プラテンガラス４４を介して基準部材４３に照射され、その基準部材４３で反射した光が受光部３２にて受光されることになる。
【００５５】
２．本実施形態の効果
本実施形態によれば、読取デバイス３０と読取デバイス４０とは光量特性曲線が異なる。しかし、読取デバイス３０の光源３１から読取位置Ｘ１までの距離と、読取デバイス４０のプラテンガラス４４から読取位置Ｘ２までの距離とが等しいので、原稿Ｍが一方の読取デバイスに寄った位置を搬送される構成に比べて、原稿詰まりの発生を抑制することができる。
【００５６】
＜実施形態３＞
図１０，１１は実施形態３を示す。実施形態１との相違は、読取デバイス３０，４０の光量特性、および、読取デバイスと読取位置との位置関係にあり、その他の点は実施形態１と同様である。従って、実施形態１と同一符号を付して重複する説明を省略し、異なるところのみを次に説明する。
【００５７】
１．画像読取部の構成要素の位置関係
図１０の上段のグラフは読取デバイス３０の光源３１の光量特性曲線を示し、同図の下段のグラフは読取デバイス４０の光源４１の光量特性曲線を示す。各グラフの縦軸が光量を示し、横軸が読取デバイス３０，４０のプラテンガラス３４，４４の表面からの距離を示す。なお、横軸は、光源３１，４１からの距離を示すものでもよい。また、図１１は画像読取部２４の概略的な構成図であり、同図では、読取デバイス３０と読取デバイス４０との間に原稿Ｍが介在している。
【００５８】
本実施形態では、読取デバイス３０，４０の光源３１，４１は、光量特性が互いに異なり、それぞれの光量特性曲線は図１０に示すグラフになる。同図では、読取デバイス４０の光量特性曲線は、読取デバイス３０の光量特性曲線に比べて緩やかな放物線になっている。
【００５９】
読取デバイス３０の光量特性曲線では、プラテンガラス３４表面からの距離がＤ６、Ｄ７［ｍｍ］の位置で、光量はＶ４［ｌｘ］で略一致している。そこで、図１１に示すように、プラテンガラス３４の表面から読取位置Ｘ１までの距離がＤ６になり、プラテンガラス３４の表面から基準部材４３までの距離をＤ７になるよう、読取デバイス３０の配置が調整されている。
【００６０】
一方、読取デバイス４０の光量特性曲線では、プラテンガラス４４表面からの距離がＤ８、Ｄ７［ｍｍ］の位置で、光量はＶ５［ｌｘ］で略一致している。そこで、図１１に示すように、プラテンガラス４４の表面から読取位置Ｘ２までの距離がＤ８（＞Ｄ６）になり、プラテンガラス４４の表面から基準部材３３までの距離をＤ７になるよう、読取デバイス４０の配置が調整されている。なお、読取デバイス４０の光量の値Ｖ４と、読取デバイス３０の光量の値Ｖ５とは略一致していることが好ましい。
【００６１】
２．本実施形態の効果
本実施形態によれば、読取デバイス３０のプラテンガラス３４から基準部材４３までの距離と、読取デバイス４０のプラテンガラス４４から基準部材３３までの距離とは等しい。このため、図１１に示すように、原稿Ｍは、読取デバイス３０寄りの位置を通って搬送されることになる。しかし、光源３１及び基準部材４３と、光源４１及び基準部材３３とを搬送経路２２を挟んで対称に配置することができる。また、読取デバイス３０と読取デバイス４０とを同一構成とすることができる。
【００６２】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００６３】
（１）上記実施形態では、画像読取装置１は、画像読取機能のみ有する構成であった。しかし、画像読取機能に加えて、印刷機能、ファクシミリ機能などを有する複合機、コピー機、ファクシミリ装置などでもよい。また、画像読取装置１はシートフィードスキャナであった。しかし、原稿Ｍが固定配置され、画像読取部が画像読取をしつつ移動する、いわゆるフラットベットタイプでもよい。このタイプの場合、読取位置は画像読取部と共に移動する。
【００６４】
（２）上記実施形態では、複数のローラを有する搬送機構２８を例に挙げた。しかし、回転駆動されるベルトを備える搬送機構などでもよい。
【００６５】
（３）上記実施形態では、一対の読取デバイス３０，４０は搬送経路２２を挟んで対向配置されていた。しかし、一対の読取デバイス３０，４０が、搬送経路２２の搬送方向において互いにずれた位置に配置された構成でもよい。また、読取デバイスを１つだけ備える画像読取装置でもよい。
【００６６】
（４）上記実施形態では、読取デバイス３０，４０に基準読取動作及び画像読取動作を実行させた例を説明した。しかし、ユーザによる操作部５での操作により片面読み取りモードが設定されている場合、読取デバイス３０，４０のいずれか一方に基準読取動作及び画像読取動作を実行させてもよい。
【００６７】
（５）上記実施形態では、画像読取装置１自身が画像データ補正処理（Ｓ４）を実行した例を説明した。しかし、画像読取装置１が画像データ及び補正データを外部機器に出力し、外部機器にて画像データ補正処理を実行する構成でもよい。
【００６８】
（６）上記実施形態では、制御回路１０は、１つのＣＰＵ１１を備え、その１つのＣＰＵ１１により画像読取処理が実行される構成であった。しかし、複数のＣＰＵ１１により上記制御処理が実行される構成でもよい。例えば読取制御処理、データ生成処理、データ補正処理のうち、一部の処理または全部の処理を別々のＣＰＵに実行させる構成でもよい。また、制御回路１０は、汎用性のあるＣＰＵで構成したものに限らず、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）や、ＦＰＧＡ（Ｆｉｅｌｄ−Ｐｒｏｇｒａｍｍａｂｌｅ  Ｇａｔｅ  Ａｒｒａｙ）などの専用回路で構成したものでもよい。
【符号の説明】
【００６９】
１：画像読取装置  １１：ＣＰＵ  ２４：画像読取部  ２８：搬送機構  ３０，４０：読取デバイス  ３１，４１：光源  ３２，４２：受光部  ３３，４３：基準部材  Ｍ：原稿  Ｘ、Ｘ２：読取位置
【図１】
0005392364.tif 000002
【図２】
0005392364.tif 000003
【図３】
0005392364.tif 000004
【図４】
0005392364.tif 000005
【図５】
0005392364.tif 000006
【図６】
0005392364.tif 000007
【図７】
0005392364.tif 000008
【図８】
0005392364.tif 000009
【図９】
0005392364.tif 000010
【図１０】
0005392364.tif 000011
【図１１】
0005392364.tif 000012